【事件の表示】
　特許第２８６６３３７号「オートマチック式エアスポーツガンの発射機構及び発射機構を用いたオートマチック式エアスポーツガン」の請求項１に係る特許に対する特許異議の申立てについて、次のとおり決定する。
【結　論】
　訂正を認める。
　本件特許異議の申立てを却下する。
【理　由】
１．手続の経緯
　特許第２８６６３３７号の請求項１乃至４に係る発明は、平成７年１２月１８日に特許出願され、平成１０年１２月１８日にその発明について特許の設定登録がなされ、その後、請求項１に係る発明の特許について、特許異議申立人・神原貞昭により特許異議の申立てがなされ、取消理由通知がなされ、その指定期間内である平成１２年４月１８日に訂正請求がなされたものである。
　
２．訂正の適否についての判断
２−１．訂正の内容
　特許権者が請求している訂正は、以下のとおりである。
　訂正事項１：請求項１を削除する。
　訂正事項２：請求項２乃至４の請求項の項番を、それぞれ一つ繰り上げて、請求項１乃至３に訂正する。
　訂正事項３：上記訂正事項１及び２に整合するように、明細書の段落番号【００１３】及び【００１４】を訂正する。
２−２．訂正の適否
　上記訂正事項１は、特許請求の範囲の請求項１を削除するものであるから、特許請求の範囲の減縮に該当する。
　上記訂正事項２は、単に請求項の項番を一つ繰り上げる訂正であり、上記訂正事項１により請求項１を削除したことにより、明瞭でない記載となるところを明瞭にする訂正である。
　上記訂正事項３は、上記訂正事項１及び２により、発明の詳細な説明の欄中の記載が明瞭でない記載となるところを、上記訂正事項１及び２に併せて明瞭にする訂正である。
　上記各訂正事項は、いずれも新規事項を追加するものではなく、しかも、実質上特許請求の範囲を拡張し又は変更するものではない。
　更に、訂正後における特許請求の範囲の請求項１乃至３に記載されている事項により特定される発明は、特許出願の際独立して特許を受けることができるものである。
２−３．むすび
　以上のとおりであるから、上記訂正は、平成１１年改正前の特許法第１２０条の４第２項の規定及び同条第３項において準用する特許法第１２６条第２項から第４項までの規定に適合するので、当該訂正を認める。
　
３．特許異議の申立てについての判断
　特許異議申立人・神原貞昭が特許異議の申立ての対象とした訂正前の請求項１に係る発明は、上記訂正の結果削除され、特許異議の申立ての対象が存在しない。
　よって、結論のとおり決定する。
【異議決定日】
平成１２年５月１０日（２０００．５．１０）
【訂正の要旨】
（訂正の要旨）
　訂正事項１：請求項１を削除する。
　訂正事項２：請求項２乃至４の請求項の項番を、それぞれ一つ繰り上げて、請求項１乃至３に訂正する。
　訂正事項３：上記訂正事項１及び２に整合するように、明細書の段落番号【００１３】及び【００１４】を訂正する。
（５４）【発明の名称】
オートマチック式エアスポーツガンの発射機構及び発射機構を用いたオートマチック式エアスポーツガン
（５７）【特許請求の範囲】
　【請求項１】　弾丸を収納し収納された弾丸を上方に付勢すると共に上方を装弾口として開口し装填される弾丸を保持可能な弾倉と、
銃身内に設置され弾倉の装弾口が開口するチャンバーと、
チャンバーから銃口に設置されるバレルと、
銃上部に銃口から銃後端側にバレルと平行に摺動可能に設けられると共に移動させるためのハンドル部を有し、常に銃口側に付勢されると共に銃口側先端下部にはボルトシアー係止部を有するボルトと、
ボルトの銃後端側に固定され銃口側を開口し、ボルトと共に摺動可能であり、後端下部に突設する押圧突起を設けると共に下面後部にストッパー案内溝を設けるシリンダーブロックと、
一端をシリンダーブロック内に挿入し、シリンダーブロック内に挿入されることで他端がバレルの銃後端側に設けられ、シリンダーブロック内面に沿って摺動可能であり、シリンダーブロック側から銃口側に亘り連通する通気孔を有し、通気孔中間部が圧縮ガスを導入する吸排気口を下部に設ける第２気室であるノズルブロックと、
第２気室内で常にシリンダーブロック側に付勢され、シリンダーブロック側がノズルブロックに設けられるシリンダーブロック側通気孔を閉塞可能な中間部より径小な閉塞部であり、銃口側がノズルブロックに設けられた銃口側通気孔を閉塞可能な中間部であり、シリンダーブロック側通気孔を閉塞すると共に銃口側の通気孔を開口させ、付勢力に抗し銃口側に移動した場合にシリンダーブロック側通気孔を開口すると共に銃口側通気孔を閉塞させるバルブと、
銃身より下部に設置され圧縮ガスを収納可能である第１気室と、
シリンダーブロックの後端に位置するよう銃本体に回動自在に取付けられ常に銃口方向へ回転するよう付勢されるハンマーと、
付勢力に反し銃後方へ回動したハンマーと係止してハンマーを停止可能であり、
シリンダーブロックの押圧突起に押圧され下方へ移動可能であり、下方へ移動するとハンマーとの係止を解除するハンマーシアーと、
銃口側に付勢されるトリガー部と、
一端をトリガーに固定され他端にはボルトシアー係止突起を突設し、トリガー部の後方への回動に連動しボルトシアー係止突起が回動可能なトリガーシアーと、
一端を銃本体に回動自在に設けられると共に常に上方へ回動するよう付勢され、他端がボルトの銃口側端部と係止可能なボルト係止部であると共に中間部がトリガーシアーのボルトシアー係止突起により押圧されることで下方へ回動可能なボルトシアーと、
第２気室の吸排気口及び第１気室間に、銃口側に回動したハンマーによりバルブロッドを押圧されると開状態になるよう設置されるハンマーバルブを有するハンマーバルブ部と、
シリンダーブロックの後方下部に位置すると共にシリンダーブロック方向へ付勢され、ハンマーバルブの開状態時にストッパー案内溝位置でシリンダーブロック側へ移動しバルブロッドと係止しバルブ開状態を維持するバルブストッパーとからなり、
ボルトが銃後方へ最大に摺動された場合には、シリンダーブロック後端部がハンマーを押しハンマーを付勢力に反し回動させハンマーシアーと係止させると共に、シリンダーブロック下部に設けるストッパー案内溝がバルブストッパー位置から外れバルブストッパーがハンマーバルブの開状態を解除させ、ノズルブロックの銃口側先端が弾倉の開口より後方側に位置するようノズルブロックと係止する係止突起をボルト中間部に有し、ボルトが銃口側へ最大に摺動された場合には、シリンダーブロックのストッパー案内溝がバルブストッパー位置より銃口側に位置することを特徴とするオートマチック式エアスポーツガン。
　【請求項２】　弾丸を収納し収納された弾丸を上方に付勢すると共に上方を装弾口として開口し装填される弾丸を保持可能な弾倉と、
銃身内に設置され弾倉の装弾口が開口するチャンバーと、
チャンバーから銃口に設置されるバレルと、
銃上部に銃口から銃後端側にバレルと平行に摺動可能に設けられると共に移動させるためのハンドル部を有し、常に銃口側に付勢されると共に銃口側先端下部にはボルトシアー係止部を有するボルトと、
ボルトの銃後端側に固定され銃口側を開口し、ボルトと共に摺動可能であり、後端下部に突設する押圧突起を設けると共に下面後部にストッパー案内溝を設けるシリンダーブロックと、
一端をシリンダーブロック内に挿入し、シリンダーブロック内に挿入されることで他端がバレルの銃後端側に設けられ、シリンダーブロック内面に沿って摺動可能であり、シリンダーブロック側から銃口側に亘り連通する通気孔を有し、通気孔中間部が圧縮ガスを導入する吸排気口を下部に設ける第２気室であるノズルブロックと、
第２気室内で常にシリンダーブロック側に付勢され、シリンダーブロック側がノズルブロックに設けられるシリンダーブロック側通気孔を閉塞可能な中間部より径小な閉塞部であり、銃口側がノズルブロックに設けられた銃口側通気孔を閉塞可能な中間部であり、シリンダーブロック側通気孔を閉塞すると共に銃口側の通気孔を開口させ、付勢力に抗し銃口側に移動した場合にシリンダーブロック側通気孔を開口すると共に銃口側通気孔を閉塞させるバルブと、
銃身より下部に設置され圧縮ガスを収納可能である第１気室と、
シリンダーブロックの後端に位置するよう銃本体に回動自在に取付けられ常に銃口方向へ回転するよう付勢されるハンマーと、
付勢力に反し銃後方へ回動したハンマーと係止してハンマーを停止可能であり、シリンダーブロックの押圧突起に押圧され下方へ移動可能であり、下方へ移動するとハンマーとの係止を解除するハンマーシアーと、
銃口側に付勢されるトリガー部と、
一端をトリガーに固定され他端にはボルトシアー係止突起を突設し、トリガー部の後方への回動に連動しボルトシアー係止突起が回動可能なトリガーシアーと、
一端を銃本体に回動自在に設けられると共に常に上方へ回動するよう付勢され、他端がボルトの銃口側端部と係止可能なボルト係止部であると共に中間部がトリガーシアーのボルトシアー係止突起により押圧されることで下方へ回動可能なボルトシアーと、
第２気室の吸排気口及び第１気室間に、銃口側に回動したハンマーによりバルブロッドを押圧されると開状態になるよう設置されるハンマーバルブを有するハンマーバルブ部と、
シリンダーブロックの後方下部に位置すると共にシリンダーブロック方向へ付勢され、ハンマーバルブの開状態時にストッパー案内溝位置でシリンダーブロック側へ移動しバルブロッドと係止しバルブ開状態を維持するバルブストッパーとからなり、
ボルトが銃後方へ最大に摺動された場合には、シリンダーブロック後端部がハンマーを押しハンマーを付勢力に反し回動させハンマーシアーと係止させると共に、シリンダーブロック下部に設けるストッパー案内溝がバルブストッパー位置から外れバルブストッパーがハンマーバルブの開状態を解除させ、ノズルブロックの銃口側先端が弾倉の開口より後方側に位置するようノズルブロックと係止する係止突起をボルト中間部に有し、ボルトが銃口側へ最大に摺動された場合には、シリンダーブロックのストッパー案内溝がバルブストッパー位置より銃口側に位置し、ボルトシアーのボルト係止部がボルトの銃口側端部と係止状態ではノズルブロックの銃口側先端が弾丸をバレル端部へ装填しないことを特徴とするオートマチック式エアスポーツガン。
　【請求項３】　弾丸を収納し収納された弾丸を上方に付勢すると共に上方を装弾口として開口し装填される弾丸を保持可能な弾倉と、
銃身内に設置され弾倉の装弾口が開口するチャンバーと、
チャンバーから銃口に設置されるバレルと、
銃上部に銃口から銃後端側にバレルと平行に摺動可能に設けられると共に移動させるためのハンドル部を有し、常に銃口側に付勢されると共に銃口側先端下部にはボルトシアー係止部を有するボルトと、
ボルトの銃後端側に固定され銃口側を開口し、ボルトと共に摺動可能であり、後端下部に突設する押圧突起を設けると共に下面後部にストッパー案内溝を設けるシリンダーブロックと、
一端をシリンダーブロック内に挿入し、シリンダーブロック内に挿入されることで他端がバレルの銃後端側に設けられ、シリンダーブロック内面に沿って摺動可能であり、シリンダーブロック側から銃口側に亘り連通する通気孔を有し、通気孔中間部が圧縮ガスを導入する吸排気口を下部に設ける第２気室であるノズルブロックと、
第２気室内で常にシリンダーブロック側に付勢され、シリンダーブロック側がノズルブロックに設けられるシリンダーブロック側通気孔を閉塞可能な中間部より径小な閉塞部であり、銃口側がノズルブロックに設けられた銃口側通気孔を閉塞可能な中間部であり、シリンダーブロック側通気孔を閉塞すると共に銃口側の通気孔を開口させ、付勢力に抗し銃口側に移動した場合にシリンダーブロック側通気孔を開口すると共に銃口側通気孔を閉塞させるバルブと、
銃身より下部に設置され圧縮ガスを収納可能である第１気室と、
シリンダーブロックの後端に位置するよう銃本体に回動自在に取付けられ常に銃口方向へ回転するよう付勢されるハンマーと、
付勢力に反し銃後方へ回動したハンマーと係止してハンマーを停止可能であり、シリンダーブロックの押圧突起に押圧され下方へ移動可能であり、下方へ移動するとハンマーとの係止を解除するハンマーシアーと、
銃口側に付勢されるトリガー部と、
一端をトリガーに固定され他端にはボルトシアー係止突起を突設し、トリガー部の後方への回動に連動しボルトシアー係止突起が回動可能なトリガーシアーと、
一端を銃本体に回動自在に設けられると共に常に上方へ回動するよう付勢され、他端がボルトの銃口側端部と係止可能なボルト係止部であると共に中間部がトリガーシアーのボルトシアー係止突起により押圧されることで下方へ回動可能なボルトシアーと、
第２気室の吸排気口及び第１気室間に、銃口側に回動したハンマーによりバルブロッドを押圧されると開状態になるよう設置されるハンマーバルブを有するハンマーバルブ部と、
シリンダーブロックの後方下部に位置すると共にシリンダーブロック方向へ付勢され、ハンマーバルブの開状態時にストッパー案内溝位置でシリンダーブロック側へ移動しバルブロッドと係止しバルブ開状態を維持するバルブストッパーとからなり、
ボルトが銃後方へ最大に摺動された場合には、シリンダーブロック後端部がハンマーを押しハンマーを付勢力に反し回動させハンマーシアーと係止させると共に、シリンダーブロック下部に設けるストッパー案内溝がバルブストッパー位置から外れバルブストッパーがハンマーバルブの開状態を解除させ、ノズルブロックの銃口側先端が弾倉の開口より後方側に位置するようノズルブロックと係止する係止突起をボルト中間部に有し、ボルトが銃口側へ最大に摺動された場合には、シリンダーブロックのストッパー案内溝がバルブストッパー位置より銃口側に位置し、ボルトシアーのボルト係止部がボルトの銃口側端部と係止状態ではノズルブロックの銃口側先端が弾丸をバレル端部へ装填せず、ボルトシリンダーブロック，ハンマー，ハンマーシアー，トリガーシアー，ボルトシアーが銃本体に内包されることを特徴とするオートマチック式エアスポーツガン。
【発明の詳細な説明】
　【０００１】
　【産業上の利用分野】　この発明は、エアスポーツガンに係り、更に詳細には、ガスボンベから供給される空気、フロン、あるいは、二酸化炭素等の圧縮ガスにより弾丸を発射するエアスポーツガンにかかる。
　【０００２】
　【従来の技術】　従来、空気、フロン、あるいは、二酸化炭素等の圧縮ガスを使用するオートマチック式エアスポーツガンとしては、例えば、図３２に表すエアスポーツガンが知られている。
　【０００３】
　即ち、１０１はオートマチック式エアスポーツガンである。オートマチック式エアスポーツガン１０１の動作は、トリガー１０２を引くとハンマー１０３が矢印方向に回動し、バルブピンを押圧する。バルブピン１０４が押圧されたことで圧縮ガス１０５がバルブ１０６を通過しスライド１０７側に流入する。ラバーチェンバー１０８内に支持される弾丸Ｗによりバルブ１０９は銃後方に移動されているのでスライド１０７側に流入した圧縮ガス１０５はラバーチェンバー１０８内の弾丸Ｗ側に流入し、弾丸Ｗを押出し、アウターバレル１１０内を通過させ銃口１１１から発射する。
　ラバーチェンバー１０８内に支持される弾丸Ｗは、圧縮ガス１０５により自身が発射されるまで、バルブスプリング１１２の付勢力に抗してバルブ１０９を銃１０１後方へ常に移動させておく。
　弾丸Ｗ発射後は、バルブ１０９は、バルブスプリング１１２で銃口１１１側へ押し戻され、圧縮ガス１０５の銃口１１１側への流出を停止する。そして、圧縮ガス１０５はスライド１０７内に流入し、スライド１０７を銃１０１後方に移動させ、次弾の装填及びハンマー１０３の横倒等を行い、次弾の発射準備を行って弾丸を発射させていた。しかしながら、圧縮ガス１０５を発射される弾丸Ｗに供給するために、発射される弾丸Ｗ自身がバルブスプリング１１２の付勢力に抗してバルブ１０９を銃１０１後方に移動させておかなければならず、弾丸Ｗを保持するラバーチェンバー１０８の挟持力が強ければならず、弾丸Ｗ発射に挟持力に抗するだけの余分な圧力が必要となるばかりでなく、長期間の使用等によりラバーチェンバー１０８の劣化が起こり弾丸Ｗの挟持力が低下して、ラバーチェンバー１０８内での弾丸Ｗのセット位置がずれ、バルブ１０９あるいはスライド１０７等の位置及び動作タイミングがずれてしまい動作以上を来す怖れがあるという問題点を有した。又、劣化が進むと、ラバーチェンバー１０８及び支持される弾丸Ｗ間の挟持力の作用方向が、発射方向と略垂直方向なので、バルブスプリング１１２の付勢力に抗すことができず、弾丸Ｗが銃口１１１方向へ移動してバルブ１０９が閉じてしまい圧縮ガス１０５がラバーチェンバー１０８方向に流入しなくなり、使用不能になる怖れがあるという問題点を有した。
　【０００４】
　これらの問題点を解決するため、発明者は、平成７年特許願第０３５９４１号（平成７年２月１日出願）で『オートマチック式エアスポーツガンの発射機構及び発射機構を用いたオートマチック強いエアスポーツガン』を発明し、『装填される弾丸を保持可能な装填パッキングと、装填パッキングの銃後端側下部に位置し、弾丸を収納し収納された弾丸を上方に付勢する弾倉と、装填パッキングの銃後端側に設置され、銃口側から銃後端側に摺動可能であり銃口側を開口するシリンダーブロックと、一端をシリンダーブロック内に挿入され他端を装填パッキングの銃後端側に位置するよう設けられ、シリンダーブロック内面に沿って摺動可能であり、シリンダーブロック側から装填パッキング側に亘り連通する通気孔を有し、通気孔中間部が圧縮ガスを導入する吸排気口を側部に有する気室であるピストンブロックと、気室内で常にシリンダーブロック側に付勢され、ピストンブロックに設けられるシリンダーブロック側通気孔を閉塞すると共に装填パッキング側通気孔を開口させ、付勢力に抗し装填パッキン側に移動した場合にシリンダーブロック側通気孔を開口すると共に装填パッキング側通気孔を閉塞させるバルブとからなることを特徴とするオートマチック式エアスポーツガンの発射機構。』、及び、『弾丸を収納し収納された弾丸を上方に付勢する弾倉と、銃身内に設置され弾倉の一端が開口するチャンバーと、チャンバーから銃口に設置されるバレルと、バレルのチャンバー端部に固定され装填される弾丸を保持可能な装填パッキングと、銃上部に銃口から銃後端に亘り設けられバレルと平行に摺動可能であり、常に銃口側に付勢されるスライドと、スライド内の銃後端側にけられ銃口側を開口し、スライドと共に摺動可能なシリンダーブロックと、一端をシリンダーブロック内に挿入され他端をチャンバー内に位置するよう設けられ、シリンダーブロック内面に沿って摺動可能であり、シリンダーブロック側から装填パッキング側に亘り連通する通気孔を有し、通気孔中間部が圧縮ガスを導入する吸排気口を下部に設ける第２気室であるピストンブロックと、第２気室内で常にシリンダーブロック側に付勢され、シリンダーブロック側がピストンブロックに設けられるシリンダーブロック側通気孔を閉塞可能な他部分より径小な閉塞部であり、装填パッキング側がピストンブロックに設けられた装填パッキング側通気孔を閉塞可能な中間部であり、シリンダーブロック側通気孔を閉塞すると共に装填パッキング側の通気孔を開口させ、付勢力に抗し装填パッキング側に移動した場合にシリンダーブロック側通気孔を開口すると共に装填パッキング側通気孔を閉塞させるバルブと、銃身よりも下部に設置され圧縮ガスを収納する圧縮ガス収納部と、圧縮ガス収納部のガス排出口に連通する第１気室と、銃後端部に回動自在に取付けられ常に銃口方向へ回転するよう付勢されるハンマーと、付勢力に反し銃後方へ回動したハンマーと係止し、ハンマーを固定するシアーと、銃口側に付勢されるトリガーと、一端をトリガーに連結されトリガーの後方への移動に連動しハンマー及びシアーの係止を解除させハンマーを回動させるトリガーバーと、第１気室及び第２気室の吸排気口間に、銃口側に回動したハンマーによりバルブロッドを押圧されると開状態になるよう設置されるハンマーバルブを有するハンマーバルブ部と、ハンマーバルブの開状態時にバルブロッドと係止しバルブ開状態を維持するバルブストッパーとからなり、シリンダーブロックが銃後方に摺動した場合には、シリンダーブロック後端部がハンマーを押しハンマーを付勢力に反し回動させシアーと係止させると共に、シリンダーブロック下部に設けるストッパー当接部がバルブストッパーを押しハンマーバルブの開状態を解除させ、スライドは銃後端へ最大に摺動したときにピストンブロックのローディングノズル先端が弾倉の開口より後方側に位置するようピストンブロックと係止する係止突起をスライド中間部に有することを特徴とするオートマチック式エアスポーツガン。』を提供した。
　【０００５】
　そしてその作用は、図３３及び図３４に表すように、圧縮ガス収納部２２６及び第１気室２２９には圧縮ガスが充満している。スライド２０９を銃口Ｂ側から銃後端側へ引く。スライド２０９は付勢力に抗し後方へ移動され始める。スライド２０９内に設けられるシリンダーブロック２１２及びシリンダーブロック２１２内に一端を挿入されるピストンブロック２１５もスライド２０９と共に後方へ移動される。弾倉２０２のチャンバー２０４内の開口より後方にピストンブロック２１５のローディングノズルが移動すると、弾倉２０２の付勢力により弾丸Ｗがチャンバー２０４内に供給される。更にスライドさせると、シリンダーブロック２１２後端がハンマー２３６に当接し、ハンマー２３６を銃後端側へ回動させる。回動されたハンマー２３６はシアー２４１と係止する。スライド２０９の後端への移動を終了すると、付勢力により再び銃口Ｂ側へ戻り始める。ローディングノズルが銃口Ｂ側へ移動し銃口Ｂ側先端がチャンバー２０４内に供給された弾丸Ｗを押す。銃口Ｂ側への移動終了と共に弾丸Ｗが装填パッキング２０８内に装填される。
　【０００６】
　第１弾の装填が終わり、使用者がトリガー２４７を引く。すると、トリガーバー２４８が連動され、ハンマー２３６及びシアー２４１の係止が解除され、ハンマー２３６が銃口Ｂ側へ回動し、バルブロッド２３３を押圧する。バルブロッド２３３が押圧され、ハンマーバルブ２３１が開状態となり、第１気室２２９内の圧縮ガスがハンマーバルブ２３１を経由し第２気室２１９の吸排気口２２０からピストンブロック２１２内へ流入する。流入する圧縮ガスは、バルブ２２１の閉塞部２２４によりシリンダーブロック側の通気孔２１７が閉塞されているので銃口Ｂ側へ流入する。装填パッキング２０８内に装填された弾丸Ｗは、流入された圧縮ガスに押され、バレル２０５内を移動し銃口Ｂから外部へ発射される。
　【０００７】
　弾丸Ｗが発射され銃口Ｂ側が開口状態となり圧縮ガスの圧力は一時的に低下する。すると、弾丸Ｗ発射後の負圧によりバルブ２２１はバルブ２２１の付勢力に抗し銃口Ｂ側へ移動される。銃口Ｂ側に移動されたバルブ２２１により、ピストンブロック２１２の装填パッキング側通気孔２１８が中間部２２３により閉塞され、シリンダーブロック側通気孔２１７が開口された状態であり、圧縮ガスはシリンダーブロック側通気孔２１７に流入する。流入した圧縮ガスにより、シリンダーブロック２１２及びピストンブロック２１５間の圧力が高くなり、シリンダーブロック２１２が銃後端方向Ａへ移動開始され、シリンダーブロック２１２を収納するスライド２０９も銃後端方向Ａへ移動開始される。
　【０００８】
　スライド２０９、シリンダーブロック２１２、及び、ピストンブロック２１５の銃後端方向Ａへの移動過程で、スライド２０９中間部の係止突起２１１がピストンブロック２１２と係止すると、ピストンブロック２１２も銃後端方向Ａへ移動開始される。更に、シリンダーブロック２１２後端部がハンマー２３６に当接し、ハンマー２３６は付勢力に抗し銃後端部方向Ａへの回動を開始する。又、シリンダーブロック２１２のストッパー当接部２１４がバルブストッパー２４０に当接し、ハンマーバルブ２３１のバルブロッド２３３とバルブストッパー２４０との係止を解除し、ハンマーバルブ２３１は閉状態となる。ハンマーバルブ２３１が閉状態となり、圧縮ガスの流入は終了するが、銃後端方向Ａへの移動は慣性により継続され、シリンダーブロック２１２内の容積が増大しシリンダーブロック２１２内のガス圧が低下し、バルブ２２１の付勢力によりバルブ２２１が装填パッキング側通気孔２１８を開口する。
　【０００９】
　スライド２０９の摺動が継続し、ローディングノズルが弾倉２のチャンバー２０４内の開口より後方に移動すると、弾倉２０２の付勢力により弾丸Ｗがチャンバー２０４内に供給される。更にスライド２０９の摺動が継続し、スライド２０９は最後端に達し、再び付勢力により銃口Ｂ側への摺動を開始する。この時ハンマー２３６は、付勢力に抗しシアー２４２と係止状態である。
　【００１０】
　スライド２０９、シリンダーブロック２１２、及び、ピストンブロック２１５の銃口Ｂ側への移動過程では、ローディングノズル先端がチャンバー２０４内に供給された弾丸Ｗを押し、銃口Ｂ側への摺動終了時には、第２弾が装填バルブ２０８内に装填されている。
　そして第２弾を発射するためにトリガー２４７を引き、第２弾を発射する。以後、上述の動作を繰返し、次々に弾丸Ｗを発射可能である。
　【００１１】
　【発明が解決しようとする課題】
　しかしながら、平成７年特許願第０３５９４１号の『オートマチック式エアスポーツガンの発射機構及び発射機構を用いたオートマチック強いエアスポーツガン』では、圧縮ガスにより弾丸を順次装填し、使用者がトリガーを引くことで圧縮ガスにより弾丸を発射し、更に次弾を装填可能であるが、次弾を発射するには一度トリガーを戻し、再度トリガーを引かなければ次弾が発射出来ないという問題点を有した。
　又、上記従来例の構成では、スライドが銃後方へ移動し、更に、付勢力により銃口側へ移動した時に弾丸が装填パッキング２０８に装填されてしまうため、弾倉に弾丸が残っている時に使用を中止した場合に最後に装填された弾丸がバレル端部に装填されたままとなり、装填された弾丸を取除かなければならないという問題点を有した。
　更に又、ハンマーバルブ２３１が開状態になると直ちバルブストッパー２４０がハンマーバルブ２３１の開状態を維持するよう移動してしまうので、圧縮ガス収納部２２６及び第１気室２２９に圧縮ガスが充満していない時に誤ってトリガー２４７を引き、圧縮ガスが無いことに気がついてこの状態のままで圧縮ガスを補充すると、ハンマーバルブ２３１が開状態なので圧縮ガスが第２気室２１９へ移動し弾丸Ｗが発射されてしまうという問題点を有した。
　従って、この発明では、トリガー２４７を引いた状態を維持することで、順次次弾を装填すると共に次弾を発射できるような構造として、連続して弾丸を発射する連射を可能にすると共に、トリガーを引くことで弾丸がバルブ端部へ装填される構造とし、更に、圧縮ガス補充時に誤って弾丸が発射されることのないエアスポーツガンを提供すること目的とする。
　【００１２】
　【課題を解決するための手段】　そこでこの発明は、
　【００１３】
　弾丸を収納し収納された弾丸を上方に付勢すると共に上方を装弾口として開口し装填される弾丸を保持可能な弾倉と、銃身内に設置され弾倉の装弾口が開口するチャンバーと、チャンバーから銃口に設置されるバレルと、銃上部に銃口から銃後端側にバレルと平行に摺動可能に設けられると共に移動させるためのハンドル部を有し、常に銃口側に付勢されると共に銃口側先端下部にはボルトシアー係止部を有するボルトと、ボルトの銃後端側に固定され銃口側を開口し、ボルトと共に摺動可能であり、後端下部に突設する押圧突起を設けると共に下面後部にストッパー案内溝を設けるシリンダーブロックと、一端をシリンダーブロック内に挿入し、シリンダーブロック内に挿入されることで他端がバレルの銃後端側に設けられ、シリンダーブロック内面に沿って摺動可能であり、シリンダーブロック側から銃口側に亘り連通する通気孔を有し、通気孔中間部が圧縮ガスを導入する吸排気口を下部に設ける第２気室であるノズルブロックと、第２気室内で常にシリンダーブロック側に付勢され、シリンダーブロック側がノズルブロックに設けられるシリンダーブロック側通気孔を閉塞可能な中間部より径小な閉塞部であり、銃口側がノズルブロックに設けられた銃口側通気孔を閉塞可能な中間部であり、シリンダーブロック側通気孔を閉塞すると共に銃口側の通気孔を開口させ、付勢力に抗し銃口側に移動した場合にシリンダーブロック側通気孔を開口すると共に銃口側通気孔を閉塞させるバルブと、銃身より下部に設置され圧縮ガスを収納可能である第１気室と、シリンダーブロックの後端に位置するよう銃本体に回動自在に取付けられ常に銃口方向へ回転するよう付勢されるハンマーと、付勢力に反し銃後方へ回動したハンマーと係止してハンマーを停止可能であり、シリンダーブロックの押圧突起に押圧され下方へ移動可能であり、下方へ移動するとハンマーとの係止を解除するハンマーシアーと、銃口側に付勢されるトリガー部と、一端をトリガーに固定され他端にはボルトシアー係止突起を突設し、トリガー部の後方への回動に連動しボルトシアー係止突起が回動可能なトリガーシアーと、一端を銃本体に回動自在に設けられると共に常に上方へ回動するよう付勢され、他端がボルトの銃口側端部と係止可能なボルト係止部であると共に中間部がトリガーシアーのボルトシアー係止突起により押圧されることで下方へ回動可能なボルトシアーと、第２気室の吸排気口及び第１気室間に、銃口側に回動したハンマーによりバルブロッドを押圧されると開状態になるよう設置されるハンマーバルブを有するハンマーバルブ部と、シリンダーブロックの後方下部に位置すると共にシリンダーブロック方向へ付勢され、ハンマーバルブの開状態時にストッパー案内溝位置でシリンダーブロック側へ移動しバルブロッドと係止しバルブ開状態を維持するバルブストッパーとからなり、ボルトが銃後方へ最大に摺動された場合には、シリンダーブロック後端部がハンマーを押しハンマーを付勢力に反し回動させハンマーシアーと係止させると共に、シリンダーブロック下部に設けるストッパー案内溝がバルブストッパー位置から外れバルブストッパーがハンマーバルブの開状態を解除させ、ノズルブロックの銃口側先端が弾倉の開口より後方側に位置するようノズルブロックと係止する係止突起をボルト中間部に有し、ボルトが銃口側へ最大に摺動された場合には、シリンダーブロックのストッパー案内溝がバルブストッパー位置より銃口側に位置することを特徴とするオートマチック式エアスポーツガン、
　【００１４】
　及び、
　【００１５】
　弾丸を収納し収納された弾丸を上方に付勢すると共に上方を装弾口として開口し装填される弾丸を保持可能な弾倉と、銃身内に設置され弾倉の装弾口が開口するチャンバーと、チャンバーから銃口に設置されるバレルと、銃上部に銃口から銃後端側にバレルと平行に摺動可能に設けられると共に移動させるためのハンドル部を有し、常に銃口側に付勢されると共に銃口側先端下部にはボルトシアー係止部を有するボルトと、ボルトの銃後端側に固定され銃口側を開口し、ボルトと共に摺動可能であり、後端下部に突設する押圧突起を設けると共に下面後部にストッパー案内溝を設けるシリンダーブロックと、一端をシリンダーブロック内に挿入し、シリンダーブロック内に挿入されることで他端がバレルの銃後端側に設けられ、シリンダーブロック内面に沿って摺動可能であり、シリンダーブロック側から銃口側に亘り連通する通気孔を有し、通気孔中間部が圧縮ガスを導入する吸排気口を下部に設ける第２気室であるノズルブロックと、第２気室内で常にシリンダーブロック側に付勢され、シリンダーブロック側がノズルブロックに設けられるシリンダーブロック側通気孔を閉塞可能な中間部より径小な閉塞部であり、銃口側がノズルブロックに設けられた銃口側通気孔を閉塞可能な中間部であり、シリンダーブロック側通気孔を閉塞すると共に銃口側の通気孔を開口させ、付勢力に抗し銃口側に移動した場合にシリンダーブロック側通気孔を開口すると共に銃口側通気孔を閉塞させるバルブと、銃身より下部に設置され圧縮ガスを収納可能である第１気室と、シリンダーブロックの後端に位置するよう銃本体に回動自在に取付けられ常に銃口方向へ回転するよう付勢されるハンマーと、付勢力に反し銃後方へ回動したハンマーと係止してハンマーを停止可能であり、シリンダーブロックの押圧突起に押圧され下方へ移動可能であり、下方へ移動するとハンマーとの係止を解除するハンマーシアーと、銃口側に付勢されるトリガー部と、一端をトリガーに固定され他端にはボルトシアー係止突起を突設し、トリガー部の後方への回動に連動しボルトシアー係止突起が回動可能なトリガーシアーと、一端を銃本体に回動自在に設けられると共に常に上方へ回動するよう付勢され、他端がボルトの銃口側端部と係止可能なボルト係止部であると共に中間部がトリガーシアーのボルトシアー係止突起により押圧されることで下方へ回動可能なボルトシアーと、第２気室の吸排気口及び第１気室間に、銃口側に回動したハンマーによりバルブロッドを押圧されると開状態になるよう設置されるハンマーバルブを有するハンマーバルブ部と、シリンダーブロックの後方下部に位置すると共にシリンダーブロック方向へ付勢され、ハンマーバルブの開状態時にストッパー案内溝位置でシリンダーブロック側へ移動しバルブロッドと係止しバルブ開状態を維持するバルブストッパーとからなり、ボルトが銃後方へ最大に摺動された場合には、シリンダーブロック後端部がハンマーを押しハンマーを付勢力に反し回動させハンマーシアーと係止させると共に、シリンダーブロック下部に設けるストッパー案内溝がバルブストッパー位置から外れバルブストッパーがハンマーバルブの開状態を解除させ、ノズルブロックの銃口側先端が弾倉の開口より後方側に位置するようノズルブロックと係止する係止突起をボルト中間部に有し、ボルトが銃口側へ最大に摺動された場合には、シリンダーブロックのストッパー案内溝がバルブストッパー位置より銃口側に位置し、ボルトシアーのボルト係止部がボルトの銃口側端部と係止状態ではノズルブロックの銃口側先端が弾丸をバレル端部へ装填しないことを特徴とするオートマチック式エアスポーツガン、
　及び、
　【００１６】
　弾丸を収納し収納された弾丸を上方に付勢すると共に上方を装弾口として開口し装填される弾丸を保持可能な弾倉と、銃身内に設置され弾倉の装弾口が開口するチャンバーと、チャンバーから銃口に設置されるバレルと、銃上部に銃口から銃後端側にバレルと平行に摺動可能に設けられると共に移動させるためのハンドル部を有し、常に銃口側に付勢されると共に銃口側先端下部にはボルトシアー係止部を有するボルトと、ボルトの銃後端側に固定され銃口側を開口し、ボルトと共に摺動可能であり、後端下部に突設する押圧突起を設けると共に下面後部にストッパー案内溝を設けるシリンダーブロックと、一端をシリンダーブロック内に挿入し、シリンダーブロック内に挿入されることで他端がバレルの銃後端側に設けられ、シリンダーブロック内面に沿って摺動可能であり、シリンダーブロック側から銃口側に亘り連通する通気孔を有し、通気孔中間部が圧縮ガスを導入する吸排気口を下部に設ける第２気室であるノズルブロックと、第２気室内で常にシリンダーブロック側に付勢され、シリンダーブロック側がノズルブロックに設けられるシリンダーブロック側通気孔を閉塞可能な中間部より径小な閉塞部であり、銃口側がノズルブロックに設けられた銃口側通気孔を閉塞可能な中間部であり、シリンダーブロック側通気孔を閉塞すると共に銃口側の通気孔を開口させ、付勢力に抗し銃口側に移動した場合にシリンダーブロック側通気孔を開口すると共に銃口側通気孔を閉塞させるバルブと、銃身より下部に設置され圧縮ガスを収納可能である第１気室と、シリンダーブロックの後端に位置するよう銃本体に回動自在に取付けられ常に銃口方向へ回転するよう付勢されるハンマーと、付勢力に反し銃後方へ回動したハンマーと係止してハンマーを停止可能であり、シリンダーブロックの押圧突起に押圧され下方へ移動可能であり、下方へ移動するとハンマーとの係止を解除するハンマーシアーと、銃口側に付勢されるトリガー部と、一端をトリガーに固定され他端にはボルトシアー係止突起を突設し、トリガー部の後方への回動に連動しボルトシアー係止突起が回動可能なトリガーシアーと、一端を銃本体に回動自在に設けられると共に常に上方へ回動するよう付勢され、他端がボルトの銃口側端部と係止可能なボルト係止部であると共に中間部がトリガーシアーのボルトシアー係止突起により押圧されることで下方へ回動可能なボルトシアーと、第２気室の吸排気口及び第１気室間に、銃口側に回動したハンマーによりバルブロッドを押圧されると開状態になるよう設置されるハンマーバルブを有するハンマーバルブ部と、シリンダーブロックの後方下部に位置すると共にシリンダーブロック方向へ付勢され、ハンマーバルブの開状態時にストッパー案内溝位置でシリンダーブロック側へ移動しバルブロッドと係止しバルブ開状態を維持するバルブストッパーとからなり、ボルトが銃後方へ最大に摺動された場合には、シリンダーブロック後端部がハンマーを押しハンマーを付勢力に反し回動させハンマーシアーと係止させると共に、シリンダーブロック下部に設けるストッパー案内溝がバルブストッパー位置から外れバルブストッパーがハンマーバルブの開状態を解除させ、ノズルブロックの銃口側先端が弾倉の開口より後方側に位置するようノズルブロックと係止する係止突起をボルト中間部に有し、ボルトが銃口側へ最大に摺動された場合には、シリンダーブロックのストッパー案内溝がバルブストッパー位置より銃口側に位置し、ボルトシアーのボルト係止部がボルトの銃口側端部と係止状態ではノズルブロックの銃口側先端が弾丸をバレル端部へ装填せず、ボルト，シリンダーブロック，ハンマー，ハンマーシアー，トリガーシアー，ボルトシアーが銃本体に内包されることを特徴とするオートマチック式エアスポーツガン、
　【００１７】
　を提供することにより上述の課題を解決し、そしてその作用は、以下の通りである。
　【００１８】
　即ち、通常状態では、シリンダーブロックの押圧突起がハンマーシアーを押圧している状態であり、圧縮ガス収納部及び第１気室には圧縮ガスが充満している。
　【００１９】
　ボルトを銃口側から銃後端側へ引く。ボルトは付勢力に抗し後方へ移動され始める。ボルト内に設けられるシリンダーブロック及びシリンダーブロック内に一端を挿入されるノズルブロックもボルトと共に後方へ移動される。ノズルブロックの銃口側先端が弾倉の装弾口より後方に移動すると、弾倉の付勢力により弾丸がチャンバー内に供給される。
　更にボルトを銃後端側へ移動させると、シリンダーブロック後端がハンマーに当接し、ハンマーを銃後端側へ回動させる。同時にハンマーシアーはシリンダーブロックの押圧突起による押圧が解除され、ハンマーと係止状態となり回動されたハンマーは係止する。又、ボルトシアーはボルトの銃口側先端より銃口側へ位置し上方へ回動する。
　ボルトの後端への移動を終了すると、ボルトは付勢力により再び銃口側へ戻り始めるが、ボルトシアーにより銃口側への移動を阻害され停止する。
　【００２０】
　そこで、使用者がトリガー部を引く。すると、トリガー部と連動してトリガーシアーが回動し、トリガーシアーのシアー係止突起がボルトシアーの中間部を押圧する。押圧されたボルトシアーは下方へ回動され、ボルトシアーのボルト係止部とボルトとの係止が解除され、ボルトは銃口方向へ移動する。
　銃口方向ヘボルトが移動すると、シリンダーブロック、ノズルブロックも銃口側へ移動し、ノズルブロックの銃口側先端が装弾口にある弾丸を押し、銃口側への移動終了と共に弾丸がバレルの銃後端側端部のチャンバーへ装填される。又、ハンマーシアーが、移動したシリンダーブロックの押圧突起により押圧され、ハンマーとの係止を解除する。するとハンマーは銃口方向へ回動する。
　ハンマーが銃口方向へ回動しハンマーバルブのバルブロッドを押圧する。すると、ハンマーバルブが開状態となり、圧縮ガスが第１気室から第２気室へ移動し、ノズルブロックの装弾口側通気孔から銃口側へ移動し弾丸が発射される。次いで、ノズルが装弾口側通気孔を閉塞すると共にシリンダーブロック側通気孔を開口する。すると、圧縮ガスはシリンダーブロック側通気孔へ流入し、シリンダーブロックを銃後端方向へ移動させる。シリンダーブロックが僅かに銃後端方向へ移動するとストッパー案内溝がバルブストッパー上部へ位置し、ハンマーバルブが開状態となったのでバルブストッパーが上方へ移動しバルブ開状態を維持する。
　【００２１】
　ハンマーバルブが開状態となり第１気室内の圧縮ガスがハンマーバルブを経由し第２気室の吸排気口からノズルブロック内へ流入する。流入する圧縮ガスは、バルブの閉塞部によりシリンダーブロック側の通気孔が閉塞されているので銃口側へ流入する。バレル端部に装填された弾丸は、流入された圧縮ガスに押され、バレル内を移動し銃口から外部へ発射される。
　弾丸が発射され銃口側が開口状態となり圧縮ガスの圧力は一時的に低下する。すると、弾丸発射後の負圧によりバルブはバルブの付勢力に抗し銃口側へ移動される。銃口側に移動されたバルブにより、ノズルブロックの装弾口側通気孔が中間部により閉塞され、シリンダーブロック側通気孔が開口された状態となり、圧縮ガスはシリンダーブロック側通気孔に流入する。流入した圧縮ガスにより、シリンダーブロック及びノズルブロック間の圧力が高くなり、シリンダーブロックが銃後端方向へ移動開始され、シリンダーブロックを収納するボルトも銃後端方向へ移動開始される。
　【００２２】
　ボルト、シリンダーブロック、及び、ノズルブロックの銃後端方向への移動過程で、ボルト中間部の係止突起がノズルブロックと係止すると、ノズルブロックも銃後端方向へ移動開始される。更に、シリンダーブロック後端部がハンマーに当接し、ハンマーは付勢力に抗し銃後端部方向への回動を開始する。又、シリンダーブロックのストッパー案内溝がバルブストッパー位置から外れ、ハンマーバルブのバルブロッドとバルブストッパーとの係止を解除し、ハンマーバルブは閉状態となる。ハンマーバルブが閉状態となり、圧縮ガスの流入は終了するが、銃後端方向への移動は慣性により継続され、シリンダーブロック内の容積が増大しシリンダーブロック内のガス圧が低下し、バルブに働く付勢力によりバルブが装弾口側通気孔を開口する。
　ボルトの摺動が継続し、ノズルブロックの装弾側先端が弾倉の装弾口の開口より後方に移動すると、弾倉の付勢力により弾丸が装弾口に供給される。更にボルトの摺動が継続し、ボルトは最後端に達し、再び付勢力により銃口側への摺動を開始する。この時ハンマーは、付勢力に抗しハンマーシアーと係止状態である。そして、銃口側へ移動するとボルトはボルトシアーと係止しボルトの銃口側への移動は終了する。
　この状態で第２弾を発射するためにトリガーを引く。すると、ボルトのボルトシアーとの係止が外れ、ボルト、シリンダーブロック、及び、ノズルブロックは再び銃口側へ移動し、その移動過程で、ノズルブロックの銃口側先端が装弾口に供給されている弾丸を押し、銃口側への摺動終了時には、第２弾がチャンバー内に装填されている。そして、第１弾の発射時同様ハンマーの係止が外れハンマーがハンマーバルブを開状態とし、圧縮ガスにより第２弾を発射する。
　又、第１弾を発射後トリガー部を引いたままの場合には、ボルトシアーがボルトの銃口側先端と係止しないため、第１弾発射以後、トリガー部を開放するまで、次々と次弾の発射動作を繰返し、連射可能である。
　更に又、トリガーを引かず第２弾を発射しない場合には、ノズルブロックの銃口側先端が第２弾を銃口側へ押して移動することはなく、第２弾は発射されずに、しかも、弾倉内に留まっている。
　【００２３】
　【発明の実施の形態】　以下に本発明の実施の形態を説明する。図１は、本発明の実施の形態を表し外カバーのみを中央部分で切断した断面説明図であり、図２は図１の左側面図であり、図３は図２のＡ−Ａ線断面説明図であり、図４は図２の縦中央断面説明図であり、図５は図１の状態からボルトを後方へ引いた状態を表す外カバーのみを中央部分で切断した断面説明図であり、図６は図５のＡ−Ａ線位置での断面説明図であり、図７は図５の縦中央断面説明図であり、図８は図５の状態からボルトを開放した状態を表す外カバーのみを中央部分で切断した断面説明図であり、図９は図８のＡ−Ａ線位置での断面説明図であり、図１０は図８の縦中央断面説明図であり、図１１は図８の状態からトリガーを後方へ引いた状態を表す外カバーのみを中央部分で切断した断面説明図であり、図１２は図１１のＤ−Ｄ線位置での断面説明図であり、図１３は図１１の縦中央断面説明図であり、図１４は図１１の状態からボルトが前方へ移動し弾丸発射寸前の状態を表す外カバーのみを中央部分で切断した断面説明図であり、図１５は図１４のＤ−Ｄ線位置での断面説明図であり、図１６は図１４の縦中央断面説明図であり、図１７は図１４の状態からハンマーが前方へ回動し弾丸を発射する状態を表す外カバーのみを中央部分で切断した断面説明図であり、図１８は図１７のＤ−Ｄ線位置での断面説明図であり、図１９は図１７の縦中央断面説明図であり、図２０は図１７の状態から二度ボルトが後方へ移動する状態を表す外カバーのみを中央部分で切断した断面説明図であり、図２１は図２０のＤ−Ｄ線位置での断面説明図であり、図２２は図２０の縦中央断面説明図であり、図２３は図２０の状態からボルトが後方へ移動する状態を表すＤ−Ｄ線位置での断面位置での断面説明図であり、図２４は図２３状態からボルトが再びハンマーを後方へ回動する状態を表すＤ−Ｄ線位置での断面説明図であり、図２５は図２４から僅かに後方へ移動しノズルブロックがボルトと共に後方へ移動する状態を表す縦中央断面説明図であり、図２６は図２５の状態からボルトが最後端へ移動した状態を表す縦中央断面説明図であり、図２７は部品図であり（ａ）は正面図，（ｂ）は右側面図，（ｃ）は底面図，（ｄ）は（ｂ）のＥ−Ｅ線断面図であり、図２８は部品図であり、図２９はこの実施形態の部分拡大図であり、図３０は部品図であり（ａ）は正面図，（ｂ）は左側面図，（ｃ）は右側面図，（ｄ）は平面図，（ｅ）は底面図，（ｆ）は（ｂ）の縦中央断面図であり、図３１は部品図であり、（ａ）は仕様状態の平面図，（ｂ）は正面図，（ｃ）は左側面図である。
　【００２４】
　１は、本発明の実施形態であるオートマチック式エアスポーツガンである。エアスポーツガン１は、図１に表すように銃身内の上部に銃後端方向Ａ（以下、Ａ方向という。）へ摺動可能なボルトを有し、ボルトをＡ方向へ摺動させ再び初期位置へ戻り発射準備を完了し、トリガー部を引くことで弾丸Ｗを銃口Ｂから発射可能である。
　２は、弾丸Ｗを収納する弾倉である。弾倉２は、図３に表すように握部Ｃ内に収納され、マガジンスプリング３により、弾丸Ｗを上方に付勢し、上部に設ける装弾口４から弾丸Ｗを１弾づつ供給可能である。
　５は、チャンバーである。チャンバー５は、エアスポーツガン１の銃身内に設置され、収納された弾倉２の装弾口４が開口する。
　６は、バレルである。バレル６はチャンバー５から銃口Ｂにかけて設置される。
　７は、アウターバレルである。アウターバレル７は、筒状からなり内部にバレル６を挿入し固定される。
　【００２５】
　８は、装填パッキングである。装填パッキング８は、中空の円筒形状からなり、中空部がバレル６の中空部と一致するようバレル６のチャンバー５側端部に載置され、中空部は弾倉２から供給される弾丸を装填され、弾力のある硬質ゴム体からなる。装填パッキング８はこの実施形態では硬質のゴム体からなるが、所望の硬度を有する樹脂から構成してもよく、あるいは、外側を金属あるいは樹脂から構成し、弾丸が装填される中空部内壁を硬質ゴムから構成してもよい。
　９は、ボルトである。ボルト９は、銃身上部の内部に銃口Ｂ側から銃後端に亘りバレル６と平行に載置され、バレル６に沿って摺動可能であり、一端を銃後端壁１０に支持されるボルトスプリング１１により摺動時には常に銃口Ｂ側に付勢される。ボルト９の略中央部分には、図４に表すように略中央部分より銃口側が下方に段差を有する係止突起１２を設ける。更に、ボルト９の銃口Ｂ側端部下部はボルトシアー係止部９１であり、ボルト９が銃後端側へ摺動してボルト９の銃後端側が略銃後端へ移動した際には後述するボルトシアー５０と係止することで、銃後端側へ移動した状態を保つことが可能である。
　【００２６】
　１３は、シリンダーブロックである。シリンダーブロック１３は、図４及び図２７に表すように銃口Ｂ側を開口する円筒形状でありボルト９の銃後端側下部に固定され、ボルト９と共に摺動可能である。更に、シリンダーブロック１３下部のエアスポーツガン１幅方向両端部には、ストッパー案内溝１４が摺動方向に細長く設けられ、ストッパー案内溝１４の銃口Ｂ側端部には傾斜部からなるストッパー当接部１５を有し、同様に後端下部のエアスポーツガン１幅方向両端にはハンマーシアー係止部１６を下方へ突設する。
　１７は、ノズルブロックである。ノズルブロック１７は、図４及び図２８に表すようにシリンダーブロック１３及びバレル６の銃後端側に設けられる装填パッキング８間に載置され、一端はシリンダーブロック１３内に挿入されると共にシリンダーブロック１３内を摺動可能であり、他端がチャンバー５内の装填パッキング８側に装弾口４を塞ぐように設けられる。ノズルブロック１７は、シリンダーブロック１３側から装填パッキング８側に亘り連通する通気孔１８を有する。ノズルブロック１７通気孔１８の中間部には、シリンダーブロック側通気孔１８ａ及び通気孔１８の銃口Ｂ側である装弾口側通気孔１８ｂより幅広の第２気室１９を有し、第２気室１９下側面には吸排気口２０を開口してなる。更に、ノズルブロック１７は、図６に表すようにボルト９が銃後端側へ移動するとシリンダーブロック１３内で共に移動し、弾倉２からはチャンバー５内に位置するチャンバー５側先端が銃後端側へ移動し、チャンバー５内の装弾口４から弾丸Ｗが供給される。又、ノズルブロック１７は、シリンダーブロック１３内を摺動時には、ボルト９に沿って摺動し、銃口Ｂ側へ摺動した場合には、やがて係止突起１２に当接し、移動が阻止され摺動は終了される。
　【００２７】
　２１は、バルブである。バルブ２１は、図４及び図２９に表すように第２気室１９内にバルブスプリング２２によりＡ方向へ付勢されるよう設けられ、中間部２３が装弾口側通気孔１８ｂより径大であり、装弾口側通気孔１８ｂを中間部２３が閉塞可能である。又、後端部は中間部２３より径小であり、且つ、シリンダーブロック側通気孔１８ａを閉塞可能な閉塞部２４からなる。バルブ２１は、第２気室１９内で水平方向に摺動可能であり、付勢力によりシリンダーブロック側通気孔１８ａを閉塞状態にし、装弾口側通気孔１８ｂを開口状態にする。又、バルブ２１がバルブスプリング２２の付勢力に抗して装填パッキング８側に摺動すると装弾口側通気孔１８ｂを閉塞し、シリンダーブロック側通気孔１８ａを開口状態とする。
　２５は、ガス収納部である。ガス収納部２５は、図４に表すように下部に外部からガスボンベ（図は示せず）等により供給される圧縮ガスをガス収納部２５へ収納可能なバルブ２６を備えると共に上部にはガス排出口２７を備え、弾倉２後部の握部Ｃ内に収納される。
　２８は、第１気室である。第１気室２８は、図４に表すように握部Ｃに収納されたガス収納部２５の上部に位置し、ガス収納部２５のガス排出口２８と接続され、ガス収納部２５からのガスを貯え、上部の排出口２９から排出可能である。
　３０は、ハンマーバルブである。ハンマーバルブ３０は、図４及び図３０に表すようにエアスポーツガン１の握部Ｃ上部に固定されバルブ本体３１及びバルブロッド３２とからなり、流入口３３を第１気室２８上部の排出口２９に接続され、流出口３４を第２気室１９の吸排気口２０に接続され、常に閉状態を維持するように付勢される。そして、バルブストッパー３０は、バルブロッド３２を押圧されることでバルブ本体３１を開状態にし、第１気室２８の圧縮ガスを、吸排気口２０を介し第２気室１９へ流出させる。
　【００２８】
　３５は、ハンマーである。ハンマー３５は、図４及び図３１に表すように銃後端部に軸部３６を中心に回動自在に取付けられ、常に銃口Ｂ方向にハンマースプリング３７により付勢される。更に、ハンマー３５には、ハンマー３５のエアスポーツガン１幅方向両端に、後述するハンマーシアーと係止可能にシアー係止部３８を有し、ハンマー３５は通常状態ではバルブロッド３２を押圧しない位置で係止され、軸部３６を中心にＡ方向へ回動された状態ではハンマースプリング３７により銃口Ｂ方向へ強く付勢された状態で後述するハンマーシアーと係止され、ハンマーシアーとの係止が解除された状態では軸部３６を中心に銃口Ｂ方向へ回転しバルブロッド３２を押圧可能である。更に、ハンマー３５は、バルブロッド３２を押圧後には直ぐに押圧状態を解除する。
　３９は、バルブストッパーである。バルブストッパー３９は、図３及び図３０に表すように中間部に段差を有し、バルブロッド３２のバルブ本体３１付近に設けられるとともに常に上方に付勢され、バルブロッド３２がハンマー３５により押圧された場合には図２１に表すように上方に移動してストッパー案内溝１４に入り込み、段差部分でハンマーバルブ３０が開いた状態を保持可能である。更に、バルブストッパー３９は、ボルト９が移動すると、シリンダーブロック１３もＡ方向へ移動しストッパー案内溝１４の銃口Ｂ側端部の傾斜部１４により付勢力に反し押し戻され元の位置に戻り、ハンマーバルブ３０を閉じる。
　【００２９】
　４０は、ハンマーシアーである。ハンマーシアー４０は、図１及び図３２に表すように軸４１を中心に回動自在であり、ハンマー３５のシアー係止部３８と係止する爪部４２、及び、シリンダーバルブ１２後端部に設けられるハンマーシアー係止部１６に押圧され付勢力に抗して回動される押圧部４３とからなり、爪部４２がハンマー３５のシアー係止部３８と係止することで、ハンマー３５のＡ方向への回動状態を保持可能であり、押圧部４３がシリンダーブロック１３のハンマーシアー係止部１６に押圧され下方に移動することでハンマー３５と爪部４２との係止状態を解除可能である。
　４４は、トリガー部である。トリガー部４４は図１に表すように軸４５を中心に回動自在であるトリガー４６、及び、トリガー４６から略直角に銃口Ｂ方向へ延設固定され先端には後述するトリガーシアー４８を固定される腕部４７とからなる。トリガー部４４は、使用者が握部Ｃを握りトリガー４６を後方へ引くことで軸４５を中心に回動され腕部４７もエアスポーツガン１内で回動される。
　４８はトリガーシアーである。トリガーシアー４８は一端をトリガー部４４と固定され、他端にはプッシュ部４９を設け、プッシュ部４９はトリガー部４４が回動することで共に回動される。
　５０は、ボルトシアーである。ボルトシアー５０は、図１に表すように一端が回動軸５１を中心に回動自在に、且つ、常に上方に付勢されるようエアスポーツガン１本体に設けられ、他端が回動軸５１より銃後端側でしかも中間部がトリガーシアー４８のプッシュ部４９と当接可能に位置するよう延設される。ボルトシアー５０の回動端部は、ボルト係止部５２であり、上方に移動している位置ではボルト９の銃口Ｂ側端部と係止可能であり、下方へ移動している位置では、ボルト９の下端より下方に位置しボルト９とは係止しない。又、ボルトシアー５０は、中間部のプッシュ部４９と当接位置でプッシュ部４９と当接している。そして、トリガー４６をＡ方向へ引きトリガーシアー４８が下方へ移動しプッシュ部４９により押圧された状態では、ボルトシアー５０が下方へ回動されボルト９より下方に位置するが、トリガー４６の開放状態では上方へ付勢されており、ボルト９が銃後方へ移動した状態でボルト９下端より上方に位置し、ボルト９が再び銃口側へ移動して来たときに、ボルトシアー５０のボルト係止部５２がボルト９の銃口Ｂ側端部と当接し、ボルト９がそれ以上銃口側へ移動しないよう阻止可能である。
　【００３０】
　次に、この実施形態の動作を図面に基づき説明するが、動作状態は使用者が弾丸を連続発射（連射）する場合を説明する。尚、弾丸Ｗは既に弾倉２に装填されているものとする。
　第１の弾丸Ｗを装填するために使用者はボルト９をＡ方向へ摺動する。すると、図１乃至図４に表す状態からボルト９がＡ方向へ移動し、固定されるシリンダーブロック１３、及び、ノズルブロック１７もＡ方向へ移動される。更に、移動が進むと、ノズルブロック１７がチャンバー５内の弾倉２上部の装弾口４よりＡ方向へ移動し弾倉２から第１の弾丸Ｗが上方へ移動しチャンバー５内の装弾口４に供給される。又、シリンダーブロック１３後端下部がハンマー３５に当接し、ハンマー３５を軸部３６を中心にＡ方向へ回動させる。又、シリンダーブロック１３のハンマーシアー係止部１６は、ハンマーシアー４０の押圧部４３よりＡ方向へ移動しており、ハンマーシアー４０の爪部４２がハンマー３５のシアー係止部３８と係止する位置に移動している。
　更に回動が進み図５乃至図７に表す状態では、ハンマー３５はＡ方向へ回動され、シアー係止部３８がハンマーシアー４０の爪部４２と係止される。従って、ハンマー３５はハンマースプリング３７の付勢力に抗してＡ方向に回動した状態を保持される。一方ボルトシアー５０は、上方からボルト９が移動しており、ボルト係止部５２が付勢力によりボルト９下端より上方へ回動した状態となる。
　【００３１】
　ボルト９がＡ方向への移動を終了し、使用者がボルト９から手を離すと、図８乃至図１０に表す状態となり、ボルト９はボルトスプリング１１の付勢力により元の位置へ戻ろうとし、銃口Ｂ側へ移動するが、ボルトシアー５０のボルト係止部５２がボルト９の銃口側先端下部に設けられるボルトシアー係止部９１と係止し銃口側への移動は阻止される。
　次いで使用者は弾丸を発射すべくトリガー部４４のトリガー４６をＡ方向へ引く。すると、図１１乃至図１３に表すように、トリガー４６は回動軸４５を中心に回動し腕部４７も回動する。腕部４７先端に固定されるトリガーシアー４８も腕部４７の回動に伴い移動し、プッシュ部４９が、当接するボルトシアー５０の中間部を下方へ押圧する。押圧されたボルトシアー５０は回動軸５１を中心に下方へ回動し、先端のボルト係止部５２がボルト９下端より下方へ移動され、ボルト係止部５２と係止状態であったボルト９は係止状態が解除されるのでボルトスプリング１１の付勢力により銃口Ｂ方向へ移動する。すると、シリンダーブロック１３及びノズルブロック１７も銃口Ｂ方向へ移動され、第１の弾丸Ｗのみがノズルブロック１７の銃口Ｂ側端部に押され、図１４乃至図１６に表すようにバレル６のＡ方向端部へ移動し装填パッキング８に装填され保持される。この時、バルブ２１は第２気室１９内でバルブスプリング２２により付勢され、シリンダーブロック側通気孔１８ａを閉塞し、装弾口側通気孔１８ｂを開状態にしていおり、装弾口側通気口１８を開状態としているバルブ２１の位置は装填パッキング８内の弾丸Ｗ位置にはよらない。
　【００３２】
　一方、トリガーシアー４１では、図１４乃至図１６に表すようにシリンダーブロック１３が銃口Ｂ方向へ移動しハンマーシアー係止部１６がハンマーシアー４０の押圧部４３を下方へ押圧する。押圧部４３を下方へ押圧されたハンマーシアー４０は回動軸４１を中心に下方へ回動し、爪部４２がシアー係止部３８から外れ、回動端部に設けられた爪部４２とハンマー３５のシアー係止部３８との係止が解除される。ハンマー３５はシアー係止部３８の係止が解除されたので、ハンマースプリング３７の付勢力により銃口Ｂ方向へ回動し、図１７乃至図１８の状態となり、ハンマーバルブ３０のバルブロッド３２を押圧する。ハンマーバルブ３０は押圧されたので開状態となり、ガス収納部２５から供給され第１気室２８に充満していた圧縮ガスが流入口３３から流入し、流出口３４を経由して流出する。このとき、圧縮ガスがガス収納部２５及び第１気室２８に充満していなければハンマー３５により押圧され開状態となったハンマーバルブ３０は付勢力により直ちに閉状態に移行する。従って、圧縮ガスがないことに気付いて圧縮ガスを補充してもハンマーバルブ３０は閉状態である。
　【００３３】
　流出口３４から流出した圧縮ガスはノズルブロック１７の吸排気口２０から第２気室１９内に流入し、開状態の装弾口側通気孔１８ｂからチャンバー５内に流入し、更に、装填パッキング８に装弾されている弾丸Ｗを押す。
　すると、図１９に表すように弾丸Ｗは銃口Ｂ方向へ移動し発射される。弾丸Ｗが発射されると同時に装弾口側通気口１８ｂ内の圧縮ガスも銃口から流出しチャンバー５、装弾口側通気孔１８ｂ内、及び、第２気室の装弾口側通気孔１８ｂ付近の圧力が瞬時に低下し負圧が生じ、バルブ２１がバルブスプリング２２の付勢力に抗し銃口Ｂ方向に移動し、中間部２３が装弾口側通気孔１８ｂを閉塞する。すると、圧縮ガスは銃口Ｂ方向へは流れず、シリンダーブロック側通気孔１８ａを通りシリンダーブロック１３の後端壁を押圧し、シリンダーブロック１３をＡ方向へ移動させ、ノズルブロック１７とシリンダーブロック１３後端壁間に、図２０乃至図２２に表すように圧縮ガスが充満し、ノズルブロック１７とシリンダーブロック１３後端壁間の距離が開く。ノズルブロック１７とシリンダーブロック１３後端壁間の距離が僅かに開いた時にシリンダーブロック１３のストッパー案内溝１４がバルブストッパー３９の上に位置し、ストッパーバルブ３９は情報へ移動し、バルブロッド３２は、バルブストッパー３９によりバルブ本体３１の開状態を保持する。ハンマーバルブ３０は、少なくもハンマーバルブ３０がノズルストッパー３９により開状態を維持されるまでの間は、ハンマーバルブ３０を通過する圧縮ガスの勢いで開状態を維持している。
　更にノズルブロック１７とシリンダーブロック１３後端壁間の距離が開き、やがて、シリンダーブロック１３の後端がハンマー３５を押し、Ａ方向へ回動させ、更に進むと図２３及び図２４の状態となり、ストッパー案内溝１４に入り込んだバルブストッパー３９がストッパー当接部１５に押し戻される。ボルト９は係止突起１２がノズルブロック１７に当接しようとしている。
　【００３４】
　更に移動が進んだ状態図が図２５である。バルブストッパー３９はストッパー当接部１５により押し戻され、バルブロッド３２が初期位置に移動し、バルブ本体３１は閉状態となっている。すると、圧縮ガスの第２気室１９への供給が終了する。そして、その直後に、ボルト９の係止突起１２がノズルブロック１７に当接し、ノズルブロック１７のシリンダーブロック１３内の摺動は終了される。又、ハンマー３５は、更にＡ方向へ回動され、ハンマーシアー４０と係止しようとしている。ボルト９のＡ方向への移動は’慣性力により更に続き、図２６に表す状態となる。この状態では、ボルト９は最もＡ方向へ移動した状態であり、ボルト９のＡ方向への移動が、ボルトスプリング１１の反発力で停止され終了される。ボルト９が移動を終了し、同様にシリンダーブロック１３が移動を終了しても、シリンダーブロック１３内を摺動可能なノズルブロック１７は更にＡ方向に移動を続け、シリンダーブロック１３及びノズルブロック１７間のガス、更に、第２気室１９内のガスは吸排気口２０から外部へ排気され、シリンダーブロック１３の後端壁まで移動する。又、ハンマー３５はハンマーシアー４０と係止状態となる。
　【００３５】
　続いて、図２６に表す状態からボルト９がボルトスプリング１１の付勢力により、元の位置に戻る。すると、再びボルト９が銃口Ｂ方向へ移動し、図８以降の上記説明動作を繰返すが、使用者が弾丸を連射するようにトリガー４５を引いたままなので、トリガーシアー４８のプッシュ部４９がボルトシアーを下方に回動下状態を保ち、ボルトシアー５０がボルト９の銃口Ｂ方向への移動を阻止しないので、ボルト９はそのまま躊躇なく銃口Ｂ方向へ移動し、共に移動するノズルブロック１７により第２の弾丸をバレル６端部の装填パッキング８へ装填し、上記説明通りの動作を繰返すことで順次次弾を連続して発射する。
　そして、使用者がトリガー４５を引くのを中止すると、トリガーシアー４８のプッシュ部４９がボルトシアー５０の下方への回動を解除し、ボルトシアー５０が付勢力により上方へ回動し、ボルト係止部５２がボルト９の下端より上方へ移動するので、ボルト９のボルトシアー係止部９１にボルトシアー５０のボルト係止部５２が係止し、ボルト９はボルトシアー５０により銃口Ｂ方向への移動を停止される。そして、ハンマー３５もハンマーシアー４０によりＡ方向へ回動した状態を保ち、ハンマーバルブ３０のバルブロッド３２が押圧されないのでバルブ本体３１が流出口３４を閉じ第１気室２８から第２気室１９への圧縮ガスの流入を阻止し、圧縮ガスがノズルブロック１７へ供給されないので、以後、次弾の発射は中止される。
　【００３６】
　【発明の効果】　従って、この発明によればバルブは第２気室内でバルブスプリングにより付勢され、シリンダーブロック側通気孔を閉塞し、装弾口側通気孔を開状態とする。従って、弾丸がバルブスプリングを保持することなく、弾丸或いは装填パッキングとは独立して位置が決定されるので、装填パッキングが弾丸を保持するための挟持力を小さくすることができる。又、長期間の使用等による装填パッキンの挟持力の低下で弾丸Ｗのセット位置がずれてもバルブの動作タイミングがずれることはなくなり、長期間安定した使用が可能となる。更に、装填パッキンの挟持力を小さくすることで装填パッキンの劣化を少なくすることができ、長期間安定した使用が可能となるのは勿論、トリガーを引いた状態を維持することで、ノズルブロックの銃口への移動を阻害しなくなるので、順次次弾を装填すると共に次弾を発射できるようになり、連続して弾丸を発射する連射が可能となる。
　又、弾丸の装填がトリガーを引いてから行われるため、最後に装填された弾丸を取除く事無く終了可能となる。
　【００３７】
　又、シリンダーブロックが銃口側へ移動しハンマーバルブが開状態となり、更にシリンダーブロックがＡ方向へ僅かに移動した時にバルブストッパーがハンマーバルブの開状態を保持するよう構成したので、圧縮ガスが圧縮ガス収納部及び第１気室に充満していない状態で誤ってトリガーを引き、ボルトが銃口方向へ移動して弾丸を装填しても、開状態となったハンマーバルブはその付勢力再び閉状態となり、ストッパー案内溝がバルブストッパーより銃口側に位置しているので開状態となったハンマーバルブはその付勢力再び閉状態となり、この状態で圧縮ガスを補充しても誤って弾丸が発射されることはない。
【図面の簡単な説明】
　【図１】　　実施の形態の外カバーのみを中央部分で切断した断面説明図
　【図２】　　図１の左側面図
　【図３】　　図２に表すＤ−Ｄ線断面説明図
　【図４】　　図２の縦中横断面説明図
　【図５】　　図１の状態からボルトを後方へ引いた状態を表す外カバーのみを中央部分で切断した断面説明図
　【図６】　　図５に表すＤ−Ｄ線断面説明図
　【図７】　　図５の縦中横断面説明図
　【図８】　　図５の状態からボルトを開放した状態を表す外カバーのみを中央部分で切断した断面説明図
　【図９】　　図８のＤ−Ｄ線位置での断面説明図
　【図１０】　図８の縦中央断面説明図
　【図１１】　図８の状態からトリガーを後方へ引いた状態を表す外カバーのみを中央部分で切断した断面説明図
　【図１２】　図１１のＤ−Ｄ線位置での断面説明図
　【図１３】　図１１の縦中央断面説明図
　【図１４】　図１１の状態からボルトが前方へ移動し弾丸発射寸前の状態を表す外カバーのみを中央部分で切断した断面説明図
　【図１５】　図１４のＤ−Ｄ線位置での断面説明図
　【図１６】　図１４の縦中央断面説明図
　【図１７】　図１４の状態からハンマーが前方へ回動し弾丸を発射する状態を表す外カバーのみを中央部分で切断した断面説明図
　【図１８】　図１７のＤ−Ｄ線位置での断面説明図
　【図１９】　図１７の縦中央断面説明図
　【図２０】　図１７の状態から二度ボルトが後方へ移動する状態を表す外カバーのみを中央部分で切断した断面説明図
　【図２１】　図２０のＤ−Ｄ線位置での断面説明図
　【図２２】　図２０の縦中央断面説明図
　【図２３】　図２０の状態からボルトが後方へ移動する状態を表すＤ−Ｄ線位置での断面説明図
　【図２４】　図２３状態からボルトが再びハンマーを後方へ回動する状態を表すＤ−Ｄ線位置での断面説明図
　【図２５】　図２５から僅かに後方へ移動しノズルブロックがボルトと共に後方へ移動する状態を表す縦中央断面説明図
　【図２６】　図２５の状態からボルトが最後端へ移動した状態を表す縦中央断面説明図
　【図２７】　この発明にかかる実施の形態の部品図
　【図２８】　この発明にかかる実施の形態の部品図
　【図２９】　この発明にかかる実施の形態の部分拡大図
　【図３０】　この発明にかかる実施の形態の部品図
　【図３１】　この発明にかかる実施の形態の部品図
　【図３２】　従来例の断面説明図
　【図３３】　従来例の断面説明図
　【図３４】　従来例の断面説明図
　【符号の説明】
　Ａ　　　　銃後端方向　　　　　　　２４　閉塞部
　Ｂ　　　　銃口　　　　　　　　　　２５　ガス収納部
　Ｃ　　　　握部　　　　　　　　　　２６　バルブ
　Ｗ　　　　弾丸　　　　　　　　　　２７　ガス排出ロ
　１　　　　エアスポーツガン　　　　２８　第１気室
　２　　　　弾倉　　　　　　　　　　２９　排出口
　３　　　　マガジンスプリング　　　３０　ハンマーバルブ
　４　　　　装弾口　　　　　　　　　３１　バルブ本体
　５　　　　チャンバー　　　　　　　３２　バルブロッド
　６　　　　バレル　　　　　　　　　３３　流入口
　７　　　　アウターバレル　　　　　３４　流出口
　８　　　　装填パッキング　　　　　３５　ハンマー
　９　　　　ボルト　　　　　　　　　３６　軸部
　１０　　　銃後端壁　　　　　　　　３７　ハンマースプリング
　１１　　　ボルトスプリング　　　　３８　シアー係止部
　１２　　　係止突起　　　　　　　　３９　バルブストッパー
　１３　　　シリンダーブロック　　　４０　ハンマーシアー
　１４　　　ストッパー案内溝　　　　４１　軸
　１５　　　ストッパー当接部　　　　４２　爪部
　１６　　　ハンマーシアー係止部　　４３　押圧部
　１７　　　ノズルブロック　　　　　４４　トリガー部
　１８　　　通気孔　　　　　　　　　４５　軸
　　１８ａ　シリンダーブロック側通　４６　トリガー
　　１８ｂ　装弾口側通気孔　　　　　４７　腕部
　　１９　　第２気室　　　　　　　　４８　トリガーシアー
　２０　　　吸排気口　　　　　　　　４９　プッシュ部
　２１　　　バルブ　　　　　　　　　５０　ボルトシアー
　２２　　　バルブスプリング　　　　５１　回動軸
　２３　　　中間部　　　　　　　　　５２　ボルト係止部
　　　　　　　　　　　　　　　　　　９１　ボルトシアー係止部